(57)【要約】【課題】表示装置が垂直状態で壁面から離間することなく、チルト角を自在に調整することができる表示装置壁掛け金具を提供する。【解決手段】表示装置を取り付ける表示装置保持金具（２）と、壁面に取り付ける壁固定金具（１）と、前記表示装置保持金具と壁固定金具とを連結するリンク構造（１１，１２，１３，１４）とを備え、前記表示装置保持金具と前記壁固定金具との距離が増すにつれ、前記表示装置保持金具のチルト角が増すように構成した。【選択図】図２
2009122249.tif 000002
【特許請求の範囲】
【請求項１】
表示装置を取り付ける表示装置保持金具と、
壁面に取り付ける壁固定金具と、
前記表示装置保持金具と壁固定金具とを連結するリンク構造とを備え、
前記表示装置保持金具と前記壁固定金具との距離が増すにつれ、前記表示装置保持金具のチルト角が増すことを特徴とする表示装置壁掛け金具。
【請求項２】
前記リンク構造を、各々が２本のアームから成る２組の互いに平行に配置したＸリンク構造として構成したことを特徴とする請求項１記載の表示装置壁掛け金具。
【請求項３】
各々の前記Ｘリンク構造の２本のアームのうち一方は、一方の端部が前記壁固定金具の一方の側面の上部に角度調節自在に接続され、他方の端部に設けられたピンが、前記表示装置保持金具の一方の側面の下方部分に設けられた長穴に摺動自在に係合し、中心より下方部分にピンを有し、
各々の前記Ｘリンク構造の２本のアームのうち他方は、一方の端部が前記壁固定金具の一方の側面の下方部分に角度調節自在に接続され、他方の端部が前記表示装置保持金具の一方の側面の上方部分に角度調節自在に接続され、中心より下方部分に長穴を有し、
前記一方のアームの中心より下方部分に有するピンは、前記他方のアームの中心より下方部分に有する長穴に摺動自在に係合することを特徴とする請求項２記載の表示装置壁掛け金具。
【請求項４】
各々の前記Ｘリンク構造の２本のアームのうち一方は、一方の端部が前記表示装置保持金具の一方の側面の上部に角度調節自在に接続され、他方の端部に設けられたピンが、前記壁固定金具の一方の側面の下方部分に設けられた長穴に摺動自在に係合し、中心より下方部分にピンを有し、
各々の前記Ｘリンク構造の２本のアームのうち他方は、一方の端部が前記表示装置保持金具の一方の側面の下方部分に角度調節自在に接続され、他方の端部が前記壁固定金具の一方の側面の上方部分に角度調節自在に接続され、中心より下方部分に長穴を有し、
前記一方のアームの中心より下方部分に有するピンは、前記他方のアームの中心より下方部分に有する長穴に摺動自在に係合することを特徴とする請求項２記載の表示装置壁掛け金具。
【請求項５】
前記アームと前記壁固定金具及び前記表示装置保持金具との接続にチルトヒンジを用いることを特徴とする請求項３又は４記載の表示装置壁掛け金具。
【請求項６】
請求項１乃至５のいずれか１項に記載の表示装置壁掛け金具を備える表示装置。
【発明の詳細な説明】
【技術分野】
【０００１】
本発明は、表示装置を壁に取り付ける壁掛け金具に関する。
【背景技術】
【０００２】
液晶テレビジョン受像機やプラズマテレビジョン受像機は、薄型かつ軽量であるので、壁に取り付けるのに適している。壁の上方に取り付けた際に見やすい角度にすることができるように、また、照明の映り込みを防ぐために、チルト角を調整できる壁掛け金具が提案されている。
【０００３】
特許文献１には、壁掛け金具に円弧状の長穴を設け、長穴の範囲内で表示装置を傾け、ネジで固定されるように構成した壁掛け構造が記載されている。
【０００４】
特許文献２には、表示装置の角度をヒンジの加締力により無段階に回転・調節し、壁掛け・卓上用として使用可能なスタンドが記載されている。
【０００５】
【特許文献１】特開平１１−２０２７７８号公報
【特許文献２】特開２００１−５１７５０号公報
【発明の開示】
【発明が解決しようとする課題】
【０００６】
特許文献１に記載の壁掛け構造では、表示装置を傾けた状態で支持してネジ止めする必要があり、傾斜範囲を確保するため、垂直状態での表示装置の位置を壁から所定距離だけ離しておく必要があるという問題があった。
【０００７】
特許文献２に記載のスタンドでは、壁掛けで使用する際、傾斜範囲を確保するため、垂直状態での表示装置の位置を壁から所定距離だけ離しておく必要があるという問題があった。
【０００８】
本発明は、このような実情に鑑みてなされたものであり、表示装置が垂直状態で壁面から離間することなく、チルト角を自在に調整することができる表示装置壁掛け金具を提供しようとするものである。
【課題を解決するための手段】
【０００９】
本発明の表示装置壁掛け金具は、表示装置を取り付ける表示装置保持金具と、壁面に取り付ける壁固定金具と、前記表示装置保持金具と壁固定金具とを連結するリンク構造とを備え、前記表示装置保持金具と前記壁固定金具との距離が増すにつれ、前記表示装置保持金具のチルト角が増すことを特徴とする。このようにすれば、表示装置を引き出すにつれてチルト角が増すので、傾斜範囲を確保するために垂直状態での表示装置の位置を壁から離しておく必要がなくなる。
【００１０】
前記リンク構造を、各々が２本のアームから成る２組の互いに平行に配置したＸリンク構造として構成してもよい。
【００１１】
各々の前記Ｘリンク構造の２本のアームのうち一方は、一方の端部が前記壁固定金具の一方の側面の上部に角度調節自在に接続され、他方の端部に設けられたピンが、前記表示装置保持金具の一方の側面の下方部分に設けられた長穴に摺動自在に係合し、中心より下方部分にピンを有し、各々の前記Ｘリンク構造の２本のアームのうち他方は、一方の端部が前記壁固定金具の一方の側面の下方部分に角度調節自在に接続され、他方の端部が前記表示装置保持金具の一方の側面の上方部分に角度調節自在に接続され、中心より下方部分に長穴を有し、前記一方のアームの中心より下方部分に有するピンは、前記他方のアームの中心より下方部分に有する長穴に摺動自在に係合するようにしてもよい。
【００１２】
各々の前記Ｘリンク構造の２本のアームのうち一方は、一方の端部が前記表示装置保持金具の一方の側面の上部に角度調節自在に接続され、他方の端部に設けられたピンが、前記壁固定金具の一方の側面の下方部分に設けられた長穴に摺動自在に係合し、中心より下方部分にピンを有し、各々の前記Ｘリンク構造の２本のアームのうち他方は、一方の端部が前記表示装置保持金具の一方の側面の下方部分に角度調節自在に接続され、他方の端部が前記壁固定金具の一方の側面の上方部分に角度調節自在に接続され、中心より下方部分に長穴を有し、前記一方のアームの中心より下方部分に有するピンは、前記他方のアームの中心より下方部分に有する長穴に摺動自在に係合するようにしてもよい。
【００１３】
前記アームと前記壁固定金具及び前記表示装置保持金具との接続にチルトヒンジを用いてもよい。
【発明の効果】
【００１４】
本発明の表示装置壁掛け金具によれば、表示装置が垂直状態で壁面から離間することなく、チルト角を自在に調節することができる。
【発明を実施するための最良の形態】
【００１５】
以下、図面を参照して本発明の実施の形態を説明する。
【００１６】
図１は、本発明の表示装置壁掛け金具の一実施形態を示す斜視図であり、図２（ａ）はその側面図、図２（ｂ）は上面図、図２（ｃ）は正面図である。表示装置壁掛け金具は、壁に固定する壁固定金具１と、液晶テレビジョン受像機などの表示装置を保持する表示装置保持金具２と、壁固定金具１及び表示装置保持金具２を連結する第１アーム１１、第２アーム１２、第３アーム１３及び第４アーム１４とを備える。これらの構成要素を、例えば、アルミや鉄など金属の板から切出し、折り曲げ、穴などを設けて形成してもよく、ダイキャスト法などによって形成してもよい。また、強度が確保できるならば、金属以外の材質を用いることももちろん可能である。
【００１７】
壁固定金具１は、壁にネジ止めするためのネジ穴と、軽量化のための肉抜き穴とを有する。表示装置保持金具２は、表示装置にネジ止めするためのネジ穴と、軽量化のための肉抜き穴とを有する。
【００１８】
第１アーム１１の一方の端部を、壁固定金具１の一方の側面の上方部分に、チルトヒンジ２１によって所定のトルクをもって角度調節自在に接続する。第１アーム１１の他方の端部にはピン３１を設け、表示装置保持金具２の一方の側面の下方部分に長穴４１を設け、ピン３１を長穴４１に摺動自在に係合させる。
【００１９】
第２アーム１２の一方の端部を、壁固定金具１の一方の側面の下方部分に、チルトヒンジ２２によって所定のトルクをもって角度調節自在に接続する。第２アーム１２の他方の端部を、表示装置保持金具２の一方の側面の上方部分に、チルトヒンジ２３によって所定のトルクをもって角度調節自在に接続する。
【００２０】
第１アーム１１の中心より下方よりの部分にはピン３２を設け、第２アーム１２の中心より下方よりの部分には長穴４２を設け、ピン３２を長穴４２に摺動自在に係合させる。
【００２１】
第３アーム１３の一方の端部を、壁固定金具１の他方の側面の上方部分に、チルトヒンジ２４によって所定のトルクをもって角度調節自在に接続する。第３アーム１３の他方の端部にはピン３３を設け、表示装置保持金具２の他方の側面の下方部分に長穴４３を設け、ピン３３を長穴４３に摺動自在に係合させる。
【００２２】
第４アーム１４の一方の端部を、壁固定金具１の他方の側面の下方部分に、チルトヒンジ２５によって所定のトルクをもって角度調節自在に接続する。第４アーム１４の他方の端部を、表示装置保持金具２の他方の側面の上方部分に、チルトヒンジ２６によって所定のトルクをもって角度調節自在に接続する。
【００２３】
第３アーム１３の中心より下方よりの部分にはピン３４を設け、第４アーム１４の中心より下方よりの部分には長穴４４を設け、ピン３４を長穴４４に摺動自在に係合させる。
【００２４】
このようにして、第１アーム１１と第２アーム１２は、チルトヒンジ２１、２２及び２３を備えてＸリンク構造を形成し、第３アーム１３と第４アーム１４は、チルトヒンジ２４、２５及び２６を備えてＸリンク構造を形成する。
【００２５】
壁固定金具１と表示装置保持金具２の位置を入れ替えてもよい。
【００２６】
図３（ａ）〜（ｃ）は、本発明の表示装置壁掛け金具の一実施形態のチルト動作を説明する側面図である。図１及び図２を参照して説明した本発明の表示装置壁掛け金具の表示装置保持金具２に、表示装置３を取り付けてある。第１アーム１１及び第２アーム１２と、第３アーム１３及び第４アーム１４の動作は同様なので、第１アーム１１及び第２アーム１２の動作のみを以下に説明する。本実施形態では、表示装置壁掛け金具を平坦な壁面上に取り付けている。
【００２７】
図３（ａ）に示す状態は、表示装置３が垂直な収納状態である。この状態において、第１アーム１１と、第２アーム１２と、壁固定金具１の側面と、表示装置保持金具２の側面とは完全に重なっている。この際、第１アーム１１のピン３１は表示装置保持金具２の長穴４１の下端近傍に位置し、第１アーム１１のピン３２は第２アーム１２の長穴４２の下端近傍に位置する。
【００２８】
図３（ｂ）に示す状態は、表示装置３を途中までチルトさせた状態である。表示装置３を手前（図面の右方向）に引いたり、奥（図面の左方向）に押したりすることによって、壁固定金具１と第１アーム１１が成す角度θ１と、第１アーム１１と第２アーム１２が成す角度θ２と、第２アーム１２と表示装置保持金具２が成す角度θ３とは、それぞれ変化し、表示装置３を所望のチルト角にすることができる。このとき、第１アーム１１のピン３１は、表示装置保持金具２の長穴４１中を摺動して移動し、第１アーム１１のピン３２は、第２アーム１２の長穴４２中を摺動して移動する。チルトヒンジの回転トルクを表示装置の自重によってかかるトルクより大きくすることによって、所望のチルト角の状態で固定することができる。
【００２９】
図３（ｃ）に示す状態は、表示装置３を最大にチルトさせた最大チルト状態である。この状態において、第１アーム１１のピン３１は表示装置保持金具２の長穴４１の上端に位置し、第１アーム１１のピン３２は第２アーム１２の長穴４２の上端に位置し、壁固定金具１と第１アーム１１が成す角度と、第１アーム１１と第２アーム１２が成す角度と、第２アーム１２と表示装置保持金具２が成す角度とは、これ以上大きくすることはできず、表示装置３をこれ以上チルトさせることはできない。
【００３０】
本発明の表示装置壁掛け金具では、表示装置が前方に移動すると壁に対してチルトし、移動量が大きくなるとチルト角が大きくなる。したがって、チルト角が大きくなるほど、表示装置と壁の距離が離れるため、表示装置と壁の干渉を回避することができる。
【００３１】
図４（ａ）〜（ｃ）は、本発明の表示装置壁掛け金具の他の実施形態のチルト動作を説明する側面図である。本実施形態では、表示装置及び表示装置壁掛け金具が壁面に埋め込まれるように構成している。本実施形態では、壁面には凹部を設け、その底面を壁面と平行にする。表示装置壁掛け金具を、このような壁面に設けられた凹部の底面に取り付ける。表示装置壁掛け金具は、図３に示す実施形態同様、図１及び２を参照して説明したものである。したがって、チルト動作における各構成要素の動きは、図３に示す実施形態と同様である。
【００３２】
図４（ａ）に示す状態は、表示装置３が垂直な収納状態である。この状態において、表示装置３及び表示装置壁掛け金具は、壁面に設けられた凹部に収納される、すなわち、壁面に埋め込まれたような状態となっている。したがって、本実施形態において、壁面に設ける凹部の深さは、チルトさせない状態の表示装置３の厚さと表示装置壁掛け金具の厚さとを合わせた寸法である必要があり、凹部の縦横の寸法は、表示装置３より大きくする必要がある。
【００３３】
図４（ｂ）に示す状態は、表示装置３を途中までチルトさせた状態であり、図４（ｃ）に示す状態は、表示装置３を最大にチルトさせた最大チルト状態である。表示装置３が凹部から引き出されるにつれ、チルト角が大きくなる。
【００３４】
図５（ａ）〜（ｃ）は、本発明の表示装置壁掛け金具の他の実施形態のチルト動作を説明する側面図である。本実施形態では、表示装置壁掛け金具を壁面に隠すように構成している。本実施形態では、壁面には凹部を設け、その底面を壁面と平行にする。表示装置壁掛け金具を、このような壁面に設けられた凹部の底面に取り付ける。表示装置壁掛け金具は、図３に示す実施形態同様、図１及び２を参照して説明したものである。したがって、チルト動作における各構成要素の動きは、図３に示す実施形態と同様である。
【００３５】
図５（ａ）に示す状態は、表示装置３が垂直な収納状態である。本実施形態において、壁面に設ける凹部の深さは、収納状態にある表示装置壁掛け金具が完全に入り、表示装置３のみが表に出ているようにする。したがって、図５（ａ）の状態において、壁面に設けられた凹部に取り付けられた表示装置壁掛け金具は、表示装置３によって完全に隠れている。
【００３６】
図５（ｂ）に示す状態は、表示装置３を途中までチルトさせた状態であり、図５（ｃ）に示す状態は、表示装置３を最大にチルトさせた最大チルト状態である。表示装置３が凹部から引き出されるにつれ、チルト角が大きくなる。
【００３７】
以上説明したように、本発明の表示装置壁掛け金具によれば、引き出すにつれてチルト角が大きくなる機構とすることにより、傾斜範囲を確保するために垂直状態での表示装置の位置を壁から離しておく必要がなくなる。
【産業上の利用可能性】
【００３８】
本発明は、表示装置を壁に取り付ける表示装置壁掛け金具に利用可能である。
【図面の簡単な説明】
【００３９】
【図１】本発明の表示装置壁掛け金具の一実施形態を示す斜視図である。
【図２】（ａ）は本発明の表示装置壁掛け金具の一実施形態を示す側面図であり、（ｂ）は上面図であり、（ｃ）は正面図である。
【図３】（ａ）〜（ｃ）は、本発明の表示装置壁掛け金具の一実施形態のチルト動作を説明する側面図である。
【図４】（ａ）〜（ｃ）は、本発明の表示装置壁掛け金具の他の実施形態のチルト動作を説明する側面図である。
【図５】（ａ）〜（ｃ）は、本発明の表示装置壁掛け金具のさらに他の実施形態のチルト動作を説明する側面図である。
【符号の説明】
【００４０】
１  壁固定金具
２  表示装置保持金具
３  表示装置
１１  第１アーム
１２  第２アーム
１３  第３アーム
１４  第４アーム
２１、２２、２３、２４、２５、２６  チルトヒンジ
３１、３２、３３、３４  ピン
４１、４２、４３、４４  長穴
【図１】
2009122249.tif 000003
【図２】
2009122249.tif 000004
【図３】
2009122249.tif 000005
【図４】
2009122249.tif 000006
【図５】
2009122249.tif 000007